(57)【要約】【課題】携帯電話に係る費用を抑えつつ、使い勝手のよい携帯端末交換システムを提供する。【解決手段】携帯端末交換システム１は、無線携帯端末２と構内交換機４とが構内無線網５を介して、携帯電話通信カード３と構内交換機４とが公衆電話網６及び携帯電話網７を介して接続されて構成される。無線携帯端末２は、基本的には構内で使用する携帯端末であり、構内無線通信によって構内交換機４との通信を可能とする。携帯電話通信カード３は、部署内又は担当者間で共用され、無線携帯端末２のスロットに接続されることで携帯電話通信によって、構内交換機４との通信を可能とする。構内交換機４は、無線携帯端末２ごとに内線番号や携帯電話番号を記憶し、無線携帯端末２への携帯電話通信カード３の着脱に応じて、携帯電話番号の登録又は抹消を行う。また、着信があった場合に、無線携帯端末２の位置に応じて内線番号又は携帯電話番号を用いて着信の転送を行う。【選択図】図１
2008028827.tif 000002
【特許請求の範囲】
【請求項１】
第１の記憶部に端末固有番号を記憶し、構内無線通信が可能である端末と、
第２の記憶部に携帯電話番号を記憶し、前記端末に接続されることで前記端末による携帯電話通信を可能とする通信カードと、
前記端末とは構内無線通信が可能であるとともに、前記通信カードが接続された前記端末とはさらに携帯電話通信が可能である構内交換機と、
を含んで構成され、
前記構内交換機は、
前記端末ごとに端末固有番号、内線番号及びダイヤルイン番号を記憶する第３の記憶部と、
前記通信カードが接続された前記端末から前記端末固有番号及び前記携帯電話番号を受信した場合に、前記第３の記憶部に前記端末固有番号に対応するように前記携帯電話番号を記憶させる携帯電話番号登録部と、
当該構内交換機に着信があった場合に、着信に含まれる内線番号又はダイヤルイン番号から、前記第３の記憶部を参照して、着信転送先の端末の内線番号及び携帯電話番号を特定し、当該端末が構内無線通信の可能な範囲内にあれば、特定した内線番号を用いた構内無線通信により当該端末に着信を転送し、当該端末が構内無線通信の可能な範囲外にあれば、特定した携帯電話番号を用いた携帯電話通信により当該端末に着信を転送する着信転送部と、
を備える
ことを特徴とする携帯端末交換システム。
【請求項２】
前記構内交換機は、
前記通信カードが取り外された前記端末から端末固有番号を受信した場合に、前記第３の記憶部に記憶された、当該端末固有番号に対応する携帯電話番号を無効にする携帯電話番号抹消部
をさらに備えることを特徴とする請求項１に記載の携帯端末交換システム。
【請求項３】
第１の記憶部に内線番号を記憶し、構内無線通信が可能である端末と、
第２の記憶部に携帯電話番号を記憶し、前記端末に接続されることで前記端末による携帯電話通信を可能とする通信カードと、
前記端末とは構内無線通信が可能であるとともに、前記通信カードが接続された前記端末とはさらに携帯電話通信が可能である構内交換機と、
を含んで構成され、
前記構内交換機は、
前記端末ごとに内線番号及びダイヤルイン番号を記憶する第３の記憶部と、
前記通信カードが接続された前記端末から前記内線番号及び前記携帯電話番号を受信した場合に、前記第３の記憶部に前記内線番号に対応するように前記携帯電話番号を記憶させる携帯電話番号登録部と、
当該構内交換機に着信があった場合に、着信に含まれる内線番号又はダイヤルイン番号から、前記第３の記憶部を参照して、着信転送先の端末の内線番号及び携帯電話番号を特定し、当該端末が構内無線通信の可能な範囲内にあれば、特定した内線番号を用いた構内無線通信により当該端末に着信を転送し、当該端末が構内無線通信の可能な範囲外にあれば、特定した携帯電話番号を用いた携帯電話通信により当該端末に着信を転送する着信転送部と、
を備える
ことを特徴とする携帯端末交換システム。
【請求項４】
前記構内交換機は、
前記通信カードが取り外された前記端末から内線番号を受信した場合に、前記第３の記憶部に記憶された、当該内線番号に対応する携帯電話番号を無効にする携帯電話番号抹消部
をさらに備えることを特徴とする請求項３に記載の携帯端末交換システム。
【請求項５】
第１の記憶部に端末固有番号を記憶し、構内無線通信が可能である端末と、
第２の記憶部に携帯電話番号を記憶し、前記端末に接続されることで前記端末による携帯電話通信を可能とする通信カードと、
前記端末とは構内無線通信が可能であるとともに、前記通信カードが接続された前記端末とはさらに携帯電話通信が可能である構内交換機と、
を含んで構成されるシステムによる携帯端末交換方法であって、
前記構内交換機が、前記端末ごとに端末固有番号、内線番号及びダイヤルイン番号を第３の記憶部に記憶させるステップと、
前記構内交換機が、前記通信カードが接続された前記端末から前記端末固有番号及び前記携帯電話番号を受信した場合に、前記第３の記憶部に前記端末固有番号に対応するように前記携帯電話番号を記憶させるステップと、
前記構内交換機が、当該構内交換機に着信があった場合に、着信に含まれる内線番号又はダイヤルイン番号から、前記第３の記憶部を参照して、着信転送先の端末の内線番号及び携帯電話番号を特定し、当該端末が構内無線通信の可能な範囲内にあれば、特定した内線番号を用いた構内無線通信により当該端末に着信を転送し、当該端末が構内無線通信の可能な範囲外にあれば、特定した携帯電話番号を用いた携帯電話通信により当該端末に着信を転送するステップと、
を含むことを特徴とする携帯端末交換方法。
【請求項６】
前記構内交換機が、前記通信カードが取り外された前記端末から端末固有番号を受信した場合に、前記第３の記憶部に記憶された、当該端末固有番号に対応する携帯電話番号を無効にするステップ
をさらに含むことを特徴とする請求項５に記載の携帯端末交換方法。
【請求項７】
第１の記憶部に内線番号を記憶し、構内無線通信が可能である端末と、
第２の記憶部に携帯電話番号を記憶し、前記端末に接続されることで前記端末による携帯電話通信を可能とする通信カードと、
前記端末とは構内無線通信が可能であるとともに、前記通信カードが接続された前記端末とはさらに携帯電話通信が可能である構内交換機と、
を含んで構成されるシステムによる携帯端末交換方法であって、
前記構内交換機が、前記端末ごとに内線番号及びダイヤルイン番号を第３の記憶部に記憶させるステップと、
前記構内交換機が、前記通信カードが接続された前記端末から前記内線番号及び前記携帯電話番号を受信した場合に、前記第３の記憶部に前記内線番号に対応するように前記携帯電話番号を記憶させるステップと、
前記構内交換機が、当該構内交換機に着信があった場合に、着信に含まれる内線番号又はダイヤルイン番号から、前記第３の記憶部を参照して、着信転送先の端末の内線番号及び携帯電話番号を特定し、当該端末が構内無線通信の可能な範囲内にあれば、特定した内線番号を用いた構内無線通信により当該端末に着信を転送し、当該端末が構内無線通信の可能な範囲外にあれば、特定した携帯電話番号を用いた携帯電話通信により当該端末に着信を転送するステップと、
を含むことを特徴とする携帯端末交換方法。
【請求項８】
前記構内交換機が、前記通信カードが取り外された前記端末から内線番号を受信した場合に、前記第３の記憶部に記憶された、当該内線番号に対応する携帯電話番号を無効にするステップ
をさらに含むことを特徴とする請求項７に記載の携帯端末交換方法。
【請求項９】
第１の記憶部に端末固有番号を記憶し、構内無線通信が可能である端末と、
第２の記憶部に携帯電話番号を記憶し、前記端末に接続されることで前記端末による携帯電話通信を可能とする通信カードと、
前記端末とは構内無線通信が可能であるとともに、前記通信カードが接続された前記端末とはさらに携帯電話通信が可能である構内交換機と、
を含んで構成されるシステムによる携帯電話番号登録方法であって、
前記構内交換機が、前記端末ごとに端末固有番号を第３の記憶部に記憶させるステップと、
前記端末が、前記通信カードが接続された場合に、前記第１の記憶部に記憶された端末固有番号及び前記第２の記憶部に記憶された携帯電話番号を前記構内交換機に送信するステップと、
前記構内交換機が、前記端末から前記端末固有番号及び前記携帯電話番号を受信した場合に、前記第３の記憶部に前記端末固有番号に対応するように前記携帯電話番号を記憶させるステップと、
を含むことを特徴とする携帯電話番号登録方法。
【請求項１０】
第１の記憶部に内線番号を記憶し、構内無線通信が可能である端末と、
第２の記憶部に携帯電話番号を記憶し、前記端末に接続されることで前記端末による携帯電話通信を可能とする通信カードと、
前記端末とは構内無線通信が可能であるとともに、前記通信カードが接続された前記端末とはさらに携帯電話通信が可能である構内交換機と、
を含んで構成されるシステムによる携帯電話番号登録方法であって、
前記構内交換機が、前記端末ごとに内線番号を第３の記憶部に記憶させるステップと、
前記端末が、前記通信カードが接続された場合に、前記第１の記憶部に記憶された内線番号及び前記第２の記憶部に記憶された携帯電話番号を前記構内交換機に送信するステップと、
前記構内交換機が、前記端末から前記内線番号及び前記携帯電話番号を受信した場合に、前記第３の記憶部に前記内線番号に対応するように前記携帯電話番号を記憶させるステップと、
を含むことを特徴とする携帯電話番号登録方法。
【発明の詳細な説明】
【技術分野】
【０００１】
本発明は、外出時に携帯端末の携帯電話番号を登録し、携帯端末の位置に応じて内線番号又は携帯電話番号に着信を転送する携帯端末交換システムに関する。
【背景技術】
【０００２】
従来、公衆電話網、構内電話網及びそれらの何れとも通信可能な携帯端末を有する通信システムがある。例えば、携帯端末が公衆電話網のみならず、構内電話網内でも普及するのに伴い、公衆電話網と構内電話網とで類似の無線方式を採用し、同一の携帯端末を公衆電話網と構内電話網とで共用することが検討されている（特許文献１参照）。
【特許文献１】特開平７−２１２８２６号公報
【発明の開示】
【発明が解決しようとする課題】
【０００３】
一方、構内ＰＨＳ（Personal Handy-phone System）を利用した携帯端末交換システムにおいて、構内ＰＨＳの所持者が外出しているときに当該構内ＰＨＳにかかってきた電話を携帯電話に転送させるためには、外出する際に構内交換機に転送先の携帯電話の電話番号を設定する必要がある。特に、携帯電話の購入費用や基本料金を節減するために部署内や担当者間で携帯電話を共用する場合には、各人の使用する携帯電話が外出する度に変わるので、その都度携帯電話の電話番号を構内交換機に設定する必要がある。
【０００４】
本発明は、上記課題を鑑みてなされたものであり、携帯電話に係る費用を抑えつつ、使い勝手のよい携帯端末交換システムを提供することを主たる目的とする。
【課題を解決するための手段】
【０００５】
上記課題を解決するために、本発明は、携帯端末交換システムであって、第１の記憶部に端末固有番号を記憶し、構内無線通信が可能である端末と、第２の記憶部に携帯電話番号を記憶し、前記端末に接続されることで前記端末による携帯電話通信を可能とする通信カードと、前記端末とは構内無線通信が可能であるとともに、前記通信カードが接続された前記端末とはさらに携帯電話通信が可能である構内交換機とを含んで構成され、前記構内交換機が、前記端末ごとに端末固有番号、内線番号及びダイヤルイン番号を記憶する第３の記憶部と、前記通信カードが接続された前記端末から前記端末固有番号及び前記携帯電話番号を受信した場合に、前記第３の記憶部に前記端末固有番号に対応するように前記携帯電話番号を記憶させる携帯電話番号登録部と、当該構内交換機に着信があった場合に、着信に含まれる内線番号又はダイヤルイン番号から、前記第３の記憶部を参照して、着信転送先の端末の内線番号及び携帯電話番号を特定し、当該端末が構内無線通信の可能な範囲内にあれば、特定した内線番号を用いた構内無線通信により当該端末に着信を転送し、当該端末が構内無線通信の可能な範囲外にあれば、特定した携帯電話番号を用いた携帯電話通信により当該端末に着信を転送する着信転送部とを備えることを特徴とする。
【０００６】
この構成によれば、１人に１台の専用の携帯電話を割り当てなくても、共用の携帯電話用の通信カードを用意するとともに、端末に通信カードを接続したときに構内交換機への携帯電話番号の登録を自動的に行うことによって、あたかも個人専用の携帯電話のような使い勝手で利用することができる。また、携帯電話用の通信カードを共用することで、購入費用や基本料金を抑えることができる。
【０００７】
また、本発明は、携帯端末交換システムであって、前記構内交換機が、前記通信カードが取り外された前記端末から端末固有番号を受信した場合に、前記第３の記憶部に記憶された、当該端末固有番号に対応する携帯電話番号を無効にする携帯電話番号抹消部をさらに備えることを特徴とする。  
この構成によれば、端末から通信カードを取り外したときに、構内交換機からの携帯電話番号の無効化を自動的に行うことによって、利用後の通信カードの後始末を簡単に行うことができる。
【０００８】
また、本発明は、携帯端末交換システムであって、第１の記憶部に内線番号を記憶し、構内無線通信が可能である端末と、第２の記憶部に携帯電話番号を記憶し、前記端末に接続されることで前記端末による携帯電話通信を可能とする通信カードと、前記端末とは構内無線通信が可能であるとともに、前記通信カードが接続された前記端末とはさらに携帯電話通信が可能である構内交換機とを含んで構成され、前記構内交換機が、前記端末ごとに内線番号及びダイヤルイン番号を記憶する第３の記憶部と、前記通信カードが接続された前記端末から前記内線番号及び前記携帯電話番号を受信した場合に、前記第３の記憶部に前記内線番号に対応するように前記携帯電話番号を記憶させる携帯電話番号登録部と、当該構内交換機に着信があった場合に、着信に含まれる内線番号又はダイヤルイン番号から、前記第３の記憶部を参照して、着信転送先の端末の内線番号及び携帯電話番号を特定し、当該端末が構内無線通信の可能な範囲内にあれば、特定した内線番号を用いた構内無線通信により当該端末に着信を転送し、当該端末が構内無線通信の可能な範囲外にあれば、特定した携帯電話番号を用いた携帯電話通信により当該端末に着信を転送する着信転送部とを備えることを特徴とする。
【０００９】
また、本発明は、携帯端末交換システムであって、前記構内交換機が、前記通信カードが取り外された前記端末から内線番号を受信した場合に、前記第３の記憶部に記憶された、当該内線番号に対応する携帯電話番号を無効にする携帯電話番号抹消部をさらに備えることを特徴とする。  
この構成によれば、内線番号を端末固有番号として用いるので、内線番号とは別に端末固有番号を設定する必要がなく、携帯端末交換システムで取り扱うデータを減らすことができる。
【００１０】
なお、本発明は、携帯端末交換方法及び携帯電話番号登録方法を含む。その他、本願が開示する課題およびその解決方法は、発明を実施するための最良の形態の欄、及び図面により明らかにされる。
【発明の効果】
【００１１】
本発明によれば、携帯電話に係る費用を抑えつつ、使い勝手のよい携帯端末交換システムを提供することができる。
【発明を実施するための最良の形態】
【００１２】
以下、図面を参照しながら、本発明を実施するための最良の形態を説明する。本発明の実施の形態に係る携帯端末交換システムは、構内用の無線携帯端末に携帯電話通信カードが接続された場合に携帯電話番号を構内交換機に登録し、構内交換機に着信があった場合に携帯端末の位置に応じて内線番号又は携帯電話番号を用いて着信を転送するものである。また、無線携帯端末から携帯電話通信カードが取り外された場合に、携帯電話番号を構内交換機から抹消する。
【００１３】
≪システムの構成と概要≫
図１は、携帯端末交換システム１の構成を示す図である。携帯端末交換システム１は、無線携帯端末（端末）２及び携帯電話通信カード（通信カード）３と、構内交換機４とが構内無線網５、公衆電話網６及び携帯電話網７を介して接続されて構成される。詳細には、無線携帯端末２と、構内交換機４とは、内線番号を用いて構内無線網５を介して通信可能となり、また、携帯電話通信カード３と、構内交換機４とは、携帯電話番号を用いて公衆電話網６及び携帯電話網７を介して通信可能となる。
【００１４】
無線携帯端末２は、各担当者が個人専用に所持し、基本的には構内で使用する携帯端末であり、構内ＰＨＳ内線機能や無線ＬＡＮ（Local Area Network）機能などを備えることによって構内交換機４との通信を可能とする。無線ＬＡＮ機能とは、例えば、ＶｏＩＰ（Voice over Internet Protocol）による無料通話機能である。なお、無線携帯端末２は、携帯電話通信カード３を接続するためのスロットを持ち、携帯電話通信カード３が接続されず構内無線通信だけが可能な状態と、携帯電話通信カード３が接続されて構内無線通信、携帯電話通信ともに可能な状態とを有する。
【００１５】
携帯電話通信カード３は、部署内又は担当者間で共用され、無線携帯端末２のスロットに接続されることによって携帯電話機能を実現し、構内交換機４との通信を可能とする。携帯電話機能とは、例えば、ＰＨＳによる定額通話機能である。携帯電話通信カード３は、公衆無線網のＣＦ（Compact Flash：登録商標）カードなどによって実現される。
【００１６】
構内交換機４は、無線携帯端末２ごとに端末固有番号、内線番号及び携帯電話番号を記憶し、構内無線網５又は公衆電話網６から着信があった場合に、無線携帯端末２の位置に応じて内線番号又は携帯電話番号を用いて着信の転送を行う交換機である。構内無線網５は、無線携帯端末２と、構内交換機４との間の通信を可能とするネットワークである。公衆電話網６及び携帯電話網７は、携帯電話通信カード３と、構内交換機４との間の通信を可能とするネットワークである。公衆電話網６は、例えば、ＮＴＴ（日本電信電話株式会社）の電話網によって実現される。携帯電話網７は、移動通信制御局や無線基地局などによって実現される。
【００１７】
図２は、無線携帯端末２及び携帯電話通信カード３の構成を示す図である。無線携帯端末２は、通信部２１、表示部２２、操作部２３、記憶部（第１の記憶部）２４、カード接続部２５及び処理部２６を備える。通信部２１は、構内無線網５を介して構内交換機４と通信するものである。表示部２２は、処理部２６の指示に従って所定のデータを表示するものであり、液晶ディスプレイなどによって実現される。操作部２３は、無線携帯端末２を操作するためのものであり、操作ボタンなどによって実現される。記憶部２４は、無線携帯端末２の端末固有番号や内線番号などを記憶するものであり、ハードディスク装置やフラッシュメモリなどの不揮発性記憶装置によって実現される。カード接続部２５は、携帯電話通信カード３を接続するためのスロットであり、例えば、無線携帯端末２の背面にあるＣＦ（登録商標）カードスロットなどによって実現される。処理部２６は、各部とデータをやりとりしながら処理を行うことによって、無線携帯端末２の機能を実現するように全体の制御を行う。処理部２６は、ＣＰＵ（Central Processing Unit）が所定のメモリに格納されたプログラムを実行することによって実現される。
【００１８】
携帯電話通信カード３は、通信部３１、記憶部（第２の記憶部）３２、端末接続部３３及び処理部３４を備える。通信部３１は、携帯電話網７及び公衆電話網６を介して構内交換機４と通信するものである。記憶部３２は、携帯電話番号などを記憶するものであり、フラッシュメモリなどの不揮発性記憶装置によって実現される。端末接続部３３は、無線携帯端末２のカード接続部２５であるスロットなどに挿入される部分であり、プラグイン端子などによって実現される。処理部３４は、各部とデータをやりとりしながら処理を行うことによって、携帯電話通信カード３の機能を実現するように全体の制御を行う。処理部３４は、ＣＰＵが所定のメモリに格納されたプログラムを実行することによって実現される。
【００１９】
図３は、構内交換機４の構成を示す図である。構内交換機４は、内線通信部４１、公衆通信部４２、処理部４３及び記憶部（第３の記憶部）４４を備える。内線通信部４１は、構内無線網５に接続され、無線携帯端末２の通信部２１と通信を行うものである。公衆通信部４２は、公衆電話網６に接続され、さらに携帯電話網７を介して携帯電話通信カード３の通信部３１と通信を行うものである。処理部４３は、各部とデータをやりとりしながら処理を行うことによって、構内交換機４の機能を実現するように全体の制御を行う。処理部４３は、ＣＰＵが所定のメモリに格納されたプログラムを実行することによって実現される。記憶部４４は、端末ごとに端末固有番号や内線番号、ダイヤルイン番号などを記憶するものであり、ハードディスク装置やフラッシュメモリなどの不揮発性記憶装置などによって実現される。
【００２０】
処理部４３は、全体処理部４３１、携帯電話番号登録部４３２、携帯電話番号抹消部４３３及び着信転送部４３４を含んで構成される。全体処理部４３１は、発生したイベント（例えば、内線通信部４１や公衆通信部４２による着信の検知など）に応じて、処理部４３内の他の各部を起動することによって、処理部４３全体の処理の流れを制御する。また、内線通信部４１、公衆通信部４２及び記憶部４４と、処理部４３内の他の各部との間のインタフェースを制御することによって、メッセージやデータの受け渡しを行う。全体制御部４３は、いわゆるカーネル又はスケジューラと呼ばれるプログラムモジュールである。
【００２１】
携帯電話番号登録部４３２、携帯電話番号抹消部４３３及び着信転送部４３４の各部は、全体制御部４３１による制御の下で動作することによって、構内交換機４の具体的な機能を実現するプログラムモジュールである。携帯電話番号登録部４３２は、無線携帯端末２に携帯電話通信カード３が接続されて、無線携帯端末２から端末固有番号又は内線番号と携帯電話番号を内線通信部４１が受信した場合に、記憶部４４に端末固有番号又は内線番号に対応するように携帯電話番号を記憶させるものである。携帯電話番号抹消部４３３は、無線携帯端末２から携帯電話通信カード３が取り外されて、無線携帯端末２から端末固有番号又は内線番号を受信した場合に、記憶部４４に記憶された端末固有番号又は内線番号に対応する携帯電話番号を無効にするものである。着信転送部４３４は、構内無線網５又は公衆電話網６を介して着信があった場合に、着信先の無線携帯端末２が所定の範囲内にあれば、内線番号を用いて構内無線網５を介して当該無線携帯端末２に着信を転送し、当該無線携帯端末２が所定の範囲外にあれば、携帯電話番号を用いて携帯電話網７を介して当該無線携帯端末２に着信を転送するものである。
【００２２】
≪データの構成≫
次に、携帯端末交換システム１の各装置内の記憶部に記憶されるデータの構成について説明する。図４は、無線携帯端末２の記憶部２４に記憶された端末固有データ２４Ａの構成を示す図である。端末固有データ２４Ａは、無線携帯端末２に固有のデータであり、端末固有番号２４Ａ１及び内線番号２４Ａ２を含んで構成される。端末固有番号２４Ａ１は、無線携帯端末２に固有の番号であり、例えば、製造番号などである。端末固有番号２４Ａ１は、内線番号やダイヤルイン番号などのように携帯端末交換システム１によって設定される番号ではなく、無線携帯端末２自体が有する普遍的な番号である。内線番号２４Ａ２は、無線携帯端末２が構内無線網５を介して構内交換機４と通信するための番号であり、構内無線網５において無線携帯端末２に固有の番号である。従って、無線携帯端末２が適用される構内無線網５が変われば、内線番号２４Ａ２も変更になり、設定し直される。なお、無線携帯端末２が内線番号２４Ａ２を端末固有番号２４Ａ１として用いることも考えられる。
【００２３】
図５は、携帯電話通信カード３の記憶部３２に記憶されたカード固有データ３２Ａの構成を示す図である。カード固有データ３２Ａは、携帯電話通信カード３に固有のデータであり、携帯電話番号３２Ａ１を含んで構成される。携帯電話番号３２Ａ１は、無線携帯端末２が携帯電話網７及び公衆電話網６を介して構内交換機４と通信するための番号であり、携帯電話網７において携帯電話通信カード３に固有の番号である。
【００２４】
図６は、構内交換機４の記憶部４４に記憶された端末管理データ４４Ａの構成を示す図である。端末管理データ４４Ａは、無線携帯端末２及び当該無線携帯端末２に接続された携帯電話通信カード３を管理するためのデータであり、端末ごとに端末固有番号４４Ａ１、端末内線状態４４Ａ２、内線番号４４Ａ３、ダイヤルイン番号４４Ａ４及び携帯電話番号４４Ａ５を含むレコードから構成される。端末固有番号４４Ａ１は、無線携帯端末２の端末固有番号２４Ａ１と同様に、無線携帯端末２に固有の番号であり、端末ごとのレコードのキーデータである。端末内線状態４４Ａ２は、無線携帯端末２が構内無線網５で通信可能な範囲内にあるか否かを「圏内」又は「圏外」によって示すものである。端末内線状態４４Ａ２のチェックは定期的に行われ、そのチェックでは、当該無線携帯端末２を内線番号により呼び出して応答するか又は応答しないかが判定され、その結果に応じて「圏内」又は「圏外」が端末内線状態４４Ａ２に設定される。
【００２５】
内線番号４４Ａ３は、無線携帯端末２の内線番号２４Ａ２と同様に、構内無線網５において無線携帯端末２に固有の番号である。ダイヤルイン番号４４Ａ４は、公衆電話網６において無線携帯端末２に固有の番号である。ダイヤルイン番号４４Ａ４は、電話加入者番号、又は代表電話番号及び内線番号を組み合わせた番号である。携帯電話番号４４Ａ５は、携帯電話通信カード３の携帯電話番号３２Ａ１と同様に、携帯電話網７において携帯電話通信カード３に固有の番号である。なお、構内交換機４が内線番号４４Ａ３を端末固有番号４４Ａ１として用いることも考えられる。
【００２６】
≪システムの処理≫
続いて、携帯端末交換システム１の処理について説明する。図７は、携帯電話通信カード３の携帯電話番号を構内交換機４に登録する処理を示すフローチャートである。無線携帯端末２において、まず、カード接続部２５に携帯電話通信カード３が接続される（ステップＳ７０１）と、処理部２６が、携帯電話通信カード３から記憶部３２に記憶されている携帯電話番号３２Ａ１を取得する（ステップＳ７０２）。この場合、処理部２６が、カード接続部２５からの信号により携帯電話通信カード３が接続されたことを検出し、携帯電話通信カード３の処理部３４に携帯電話番号３２Ａ１の送信を要求してもよいし、処理部３４が、端末接続部３３からの信号により無線携帯端末２に接続されたことを検出し、自ら処理部２６に携帯電話番号３２Ａ１を送信するようにしてもよい。次に、処理部２６が、記憶部２４に記憶された端末固有番号２４Ａ１及び携帯電話通信カード３から取得した携帯電話番号を構内交換機４に送信する（ステップＳ７０３）。この場合、端末固有番号及び携帯電話番号の送信は、予め設定された構内交換機４の内線番号に基づき、無線携帯端末２の通信部２１及び構内無線網５を介して行われる。なお、ステップＳ７０２及びステップＳ７０３の処理に代えて、携帯電話通信カード３の処理部３４が、端末固有番号及び携帯電話番号を、通信部３１、携帯電話網７及び公衆電話網６を介して構内交換機４に送信することも考えられる。この場合は、構内交換機４の公衆電話番号が予め設定されることになる。
【００２７】
構内交換機４においては、内線通信部４１が端末固有番号及び携帯電話番号を受信し（ステップＳ７０４）、処理部４３に渡す。処理部４３では、携帯電話番号登録部４３２が、全体制御部４３１経由で端末固有番号及び携帯電話番号を受けて、記憶部４４に記憶されている端末管理データ４４Ａのレコードを端末固有番号で検索する（ステップＳ７０５）。この場合、各レコードの端末固有番号４４Ａ１と、無線携帯端末２から受信した端末固有番号とが一致するか否かをチェックする。そして、携帯電話番号登録部４３２が、端末固有番号が一致したレコードの携帯電話番号４４Ａ５に、無線携帯端末２から受信した携帯電話番号を設定する（ステップＳ７０６）。これにより、無線携帯端末２に接続された携帯電話通信カード３の携帯電話番号が、構内交換機４に登録されたことになる。
【００２８】
図８は、携帯電話通信カード３の携帯電話番号を構内交換機４から抹消する処理を示すフローチャートである。まず、無線携帯端末２において、カード接続部２５から携帯電話通信カード３が取り外される（ステップＳ８０１）と、処理部２６が、カード接続部２５からの信号により携帯電話通信カード３が取り外されたことを検出し、記憶部２４に記憶された端末固有番号２４Ａ１を構内交換機４に送信する（ステップＳ８０２）。この場合、端末固有番号の送信は、無線携帯端末２の通信部２１及び構内無線網５を介して行われる。
【００２９】
構内交換機４においては、内線通信部４１が端末固有番号を受信し（ステップＳ８０３）、処理部４３に渡す。処理部４３では、携帯電話番号抹消部４３３が、全体制御部４３１経由で端末固有番号を受けて、記憶部４４に記憶されている端末管理データ４４Ａのレコードを端末固有番号で検索する（ステップＳ８０４）。この場合、各レコードの端末固有番号４４Ａ１と、無線携帯端末２から受信した端末固有番号とが一致するか否かをチェックする。そして、携帯電話番号抹消部４３３が、端末固有番号が一致したレコードの携帯電話番号４４Ａ５をクリア（無効に）する（ステップＳ８０５）。これにより、無線携帯端末２から取り外された携帯電話通信カード３の携帯電話番号が、構内交換機４から抹消されたことになる。
【００３０】
なお、無線携帯端末２が構内無線網５の圏外にある場合に、携帯電話通信カード３が取り外されると、端末固有番号が構内交換機４に届かず、携帯電話番号が抹消されない。しかし、次の機会に無線携帯端末２に携帯電話通信カード３が接続されると、端末固有番号及び携帯電話番号が構内交換機４に届いて携帯電話番号が上書きされるので、特に問題は生じない。同様の理由から、携帯電話番号を構内交換機４から抹消する処理を省略してもよい。
【００３１】
図９は、構内交換機４が無線携帯端末２の位置に応じて着信を転送する処理を示すフローチャートである。構内交換機４において、まず、内線通信部４１又は公衆通信部４２が、構内無線網５又は公衆電話網６から着信を受け付ける（ステップＳ９０１）。次に、着信転送部４３４が、全体制御部４３１経由で着信の番号を受けて、記憶部４４に記憶された端末管理データ４４Ａのレコードを当該着信の番号で検索する（ステップＳ９０２）。ここで、着信の番号とは、構内無線網５からの着信の場合、内線番号であり、公衆電話網６からの着信の場合、ダイヤルイン番号である。従って、受信した内線番号又はダイヤルイン番号と、各レコードの内線番号４４Ａ３又はダイヤルイン番号４４Ａ４とが一致するか否かをチェックする。そして、着信の番号が一致したレコードの端末内線状態４４Ａ２を特定する（ステップＳ９０３）。端末内線状態４４Ａ２は、定期的にチェックされ、事前に設定されている。なお、ステップＳ９０３の時点で当該レコードに対応する無線携帯端末２の最新の端末内線状態をチェックし、端末内線状態４４Ａ２に設定するようにしてもよい。
【００３２】
端末内線状態４４Ａ２が圏内であれば（ステップＳ９０４のＹＥＳ）、着信転送部４３４が内線通信部４１により、構内無線網５を介して無線携帯端末２に着信を転送する（ステップＳ９０５）。一方、端末内線状態４４Ａ２が圏外であれば（ステップＳ９０４のＮＯ）、着信転送部４３４が公衆通信部４２により、公衆電話網６及び携帯電話網７を介して無線携帯端末２に着信を転送する（ステップＳ９０６）。これにより、無線携帯端末２の現在位置に応じた適切な方法により、着信を転送することができる。
【００３３】
以上本発明の実施の形態について説明したが、図１に示す無線携帯端末２、携帯電話通信カード３及び構内交換機４を機能させるために、各処理部で実行されるプログラムをコンピュータにより読み取り可能な記録媒体に記録し、その記録したプログラムをコンピュータに読み込ませ、実行させることにより、本発明の実施の形態に係る携帯端末交換システム１が実現されるものとする。なお、プログラムをインターネットなどのネットワーク経由でコンピュータに提供してもよいし、プログラムが書き込まれた半導体チップなどをコンピュータに組み込んでもよい。
【００３４】
以上説明した本発明の実施の形態によれば、構内無線通信機能を有する無線携帯端末２と、携帯電話通信機能を有する携帯電話通信カード３とを分離し、必要に応じて接続して使用することによって、事業者が提供する携帯電話のサービスに束縛されることなく、ユーザが自由にソフトウェアを組み込んだり、サービスを選択したりすることができるとともに、携帯電話を使いたい場合には、時々に応じて好きな事業者の携帯電話通信カード３を選択することができる。
【００３５】
また、１人に１台の専用の携帯電話を割り当てなくても、共用の携帯電話通信カード３を用意するとともに、無線携帯端末２に携帯電話通信カード３を接続したときに携帯電話番号を構内交換機４に自動的に登録するので、あたかも個人専用の携帯電話のような使い勝手で利用することができる。そして、携帯電話通信カード３を共用することで、携帯電話の購入費用や基本料金を抑えることができる。さらに、無線携帯端末２から携帯電話通信カード３を取り外したときに、携帯電話番号を構内交換機４から自動的に抹消するので、利用後の携帯電話通信カード３の後始末を意識することなく行うことができる。
【００３６】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００３７】
（１）前記実施の形態では、図７及び図８に示すように、構内交換機４において、無線携帯端末２から受信した端末固有番号をキーとして携帯電話番号を登録したり、無効にしたりするように記載したが、端末固有番号の代わりに内線番号を無線携帯端末２から受信し、受信した内線番号をキーとして携帯電話番号を登録したり、無効にしたりしてもよい。これによれば、端末固有番号が不要になるので、携帯端末交換システム１で取り扱うデータを減らすことができる。
【００３８】
（２）前記実施の形態では、無線携帯端末２への携帯電話通信カード３の接続／取り外しによって、携帯電話番号の構内交換機４への登録／抹消が自動的に行われるように記載したが、必ずしも携帯電話通信カード３の接続／取り外しのタイミングではなく、ユーザが無線携帯端末２の操作部２３であるボタンを操作することによって、携帯電話番号の登録／解除を指示できるようにしてもよい。これによれば、無線携帯端末２に携帯電話通信カード３を接続していても、例えば、顧客との面談などの所用のため電話に出たくない場合には、着信が転送されないように、携帯電話番号の登録を解除することができる。そして、所用が終了した場合には、ボタン操作で登録を指示することによって、携帯電話番号を再度登録することができる。
【００３９】
（３）前記実施の形態では、構内交換機４の記憶部４４に記憶された端末内線状態４４Ａ２が圏外の場合に、携帯電話番号４４Ａ５に着信を転送するように記載したが、携帯電話番号以外に転送するように記憶部４４の端末ごとの設定内容を変更できるようにしてもよい。例えば、食事中であれば、ボイスメールに転送するようにして、後で内容を確認できるようにすることが考えられる。また、電車に乗っている最中であれば、事務所の代表電話に転送するようにして、他の担当者に対応してもらうようにすることが考えられる。
【図面の簡単な説明】
【００４０】
【図１】携帯端末交換システム１の構成を示す図である。
【図２】無線携帯端末２及び携帯電話通信カード３の構成を示す図である。
【図３】構内交換機４の構成を示す図である。
【図４】端末固有データ２４Ａの構成を示す図である。
【図５】カード固有データ３２Ａの構成を示す図である。
【図６】端末管理データ４４Ａの構成を示す図である。
【図７】携帯電話通信カード３の携帯電話番号を構内交換機４に登録する処理を示すフローチャートである。
【図８】携帯電話通信カード３の携帯電話番号を構内交換機４から抹消する処理を示すフローチャートである。
【図９】無線携帯端末２の位置に応じて着信を転送する処理を示すフローチャートである。
【符号の説明】
【００４１】
１  携帯端末交換システム
２  無線携帯端末（端末）
２４  記憶部（第１の記憶部）
２４Ａ１  端末固有番号
２４Ａ２  内線番号
３  携帯電話通信カード（通信カード）
３２  記憶部（第２の記憶部）
３２Ａ１  携帯電話番号
４  構内交換機
４４  記憶部（第３の記憶部）
４４Ａ１  端末固有番号
４４Ａ３  内線番号
４４Ａ４  ダイヤルイン番号
５  構内無線網
６  公衆電話網
７  携帯電話網
【図１】
2008028827.tif 000003
【図２】
2008028827.tif 000004
【図３】
2008028827.tif 000005
【図４】
2008028827.tif 000006
【図５】
2008028827.tif 000007
【図６】
2008028827.tif 000008
【図７】
2008028827.tif 000009
【図８】
2008028827.tif 000010
【図９】
2008028827.tif 000011